(57)【特許請求の範囲】
【請求項１】
画像形成装置により画像形成された用紙を複数枚束ねて用紙束とし、用紙束の背部に対して相対的に移動することにより該用紙束の背部に糊を塗布する糊塗布部を有し、
前記糊塗布部により糊を塗布された用紙束の背部に表紙を接着し製本する製本装置であって、
糊を加熱するヒータと、
糊の温度を検知する温度検知部と、
糊が所定の制御温度となるように前記ヒータを制御するヒータ制御部と、
前記ヒータに対する電源供給のＯＮ状態とＯＦＦ状態を切り替えるための入力を受け付ける入力部と、を有し、
前記ヒータ制御部は、前記入力部が前記入力を受け付けた時の前記ヒータに対する電源供給の状態を判断し、判断された前記ヒータに対する電源供給の状態を他方の状態に切り替えることを特徴とする製本装置。
【請求項２】
前記ヒータ制御部は、前記入力部が前記入力を受け付けた時の前記ヒータに対する電源供給の状態を判断し、前記ヒータに対する電源供給の状態をＯＮ状態であると判断した場合に、前記ヒータに対する電源供給の状態をＯＦＦ状態に切り替えることを特徴とする請求項１に記載の製本装置。
【請求項３】
前記ヒータに対する電源供給の状態に係わらず画像形成された用紙を製本せずに排紙すべく、前記糊塗布部を通過する排紙経路とは独立した排紙経路を有するサブ排紙機構を備えたことを特徴とする請求項１又は２に記載の製本装置。
【請求項４】
前記ヒータ制御部は、前記ヒータの制御温度を変更可能とすることを特徴とする請求項１乃至３のいずれか１項に記載の製本装置。
【請求項５】
前記ヒータ制御部は、前記糊塗布部により用紙束の背部に糊を塗布している期間は、前記ヒータに対する電源供給の状態をＯＦＦ状態に切り替えないことを特徴とする請求項１乃至４のいずれか１項に記載の製本装置。
【請求項６】
画像形成装置と通信する通信部を有し、
前記ヒータ制御部は、前記画像形成装置からの製本ジョブの実行指令を前記通信部から受けた場合に、前記ヒータに対する電源供給の状態をＯＦＦ状態に切り替えないことを特徴とする請求項１乃至４のいずれか１項に記載の製本装置。
【請求項７】
画像形成装置と通信する通信部を有し、
前記ヒータ制御部は、前記画像形成装置からの製本ジョブの実行指令を前記通信部から受けた場合に、前記ヒータの制御温度の変更を行わないことを特徴とする請求項４乃至６のいずれか１項に記載の製本装置。
【請求項８】
前記ヒータの制御条件を記憶する記憶部を有し、
前記ヒータ制御部は、前記記憶部に記憶された制御条件に基づいて製本装置の電源スイッチがＯＮされた時の、前記ヒータの制御条件を決定することを特徴とする請求項１乃至７のいずれか１項に記載の製本装置。
【請求項９】
前記ヒータ制御部は、前記記憶部に記憶された制御条件に基づいて製本ジョブ終了時の、前記ヒータの制御条件を決定することを特徴とする請求項８に記載の製本装置。
【請求項１０】
前記ヒータ制御部は、製本ジョブが終了した場合、所定時間経過後に前記ヒータに対する電源供給の状態をＯＦＦ状態に切り替えることを特徴とする請求項９に記載の製本装置。
【請求項１１】
用紙に画像形成する画像形成装置と、
画像形成装置により画像形成された用紙を複数枚束ねて用紙束とし、用紙束に対して相対的に移動することにより該用紙束の背部に糊を塗布する糊塗布部を有し、前記糊塗布部により糊を塗布された用紙束の背部に表紙を接着し製本する製本装置と、
を備えた画像形成システムであって、
糊を加熱するヒータと、
前記ヒータに対する電源供給のＯＮ状態とＯＦＦ状態を切り替えるための入力を受け付ける入力部と、
糊の温度を検知する温度検知部と、
糊が所定の制御温度となるように前記ヒータを制御するヒータ制御部と、を有し、
前記ヒータ制御部は、前記入力部が前記入力を受け付けた時の前記ヒータに対する電源供給の状態を判断し、判断された前記ヒータに対する電源供給の状態を他方の状態に切り替えることを特徴とする画像形成システム。
【請求項１２】
前記ヒータ制御部は、前記入力部が前記入力を受け付けた時の前記ヒータに対する電源供給の状態を判断し、前記ヒータに対する電源供給の状態をＯＮ状態であると判断した場合に、前記ヒータに対する電源供給の状態をＯＦＦ状態に切り替えることを特徴とする請求項１１に記載の画像形成システム。
【請求項１３】
前記製本装置は、前記ヒータに対する電源供給の状態に係わらず画像形成された用紙を製本せずに排紙すべく、前記糊塗布部を通過する排紙経路とは独立した排紙経路を有するサブ排紙機構を備えたことを特徴とする請求項１１又は１２に記載の画像形成システム。
【請求項１４】
前記ヒータ制御部は、前記ヒータの制御温度を変更可能とすることを特徴とする請求項１１乃至１３のいずれか１項に記載の画像形成システム。
【請求項１５】
前記ヒータ制御部は、前記糊塗布部により用紙束の背部に糊を塗布している期間は、前記ヒータに対する電源供給の状態をＯＦＦ状態に切り替えないことを特徴とする請求項１１乃至１４のいずれか１項に記載の画像形成システム。
【請求項１６】
前記ヒータ制御部は、製本ジョブの実行指令が入力された場合に、前記ヒータに対する電源供給の状態をＯＦＦ状態に切り替えないことを特徴とする請求項１１乃至１４のいずれか１項に記載の画像形成システム。
【請求項１７】
前記ヒータ制御部は、製本ジョブの実行指令が入力された場合に、前記ヒータの制御温度の変更を行わないことを特徴とする請求項１４乃至１６のいずれか１項に記載の画像形成システム。
【請求項１８】
前記ヒータの制御条件を記憶する記憶部を有し、
前記ヒータ制御部は、前記記憶部に記憶された制御条件に基づいて製本装置の電源スイッチがＯＮされた時の、前記ヒータの制御条件を決定することを特徴とする請求項１１乃至１７のいずれか１項に記載の画像形成システム。
【請求項１９】
前記ヒータ制御部は、前記記憶部に記憶された制御条件に基づいて製本ジョブ終了時の、前記ヒータの制御条件を決定することを特徴とする請求項１８に記載の画像形成システム。
【請求項２０】
前記ヒータ制御部は、製本ジョブが終了した場合、所定時間経過後に前記ヒータに対する電源供給の状態をＯＦＦ状態に切り替えることを特徴とする請求項１９に記載の画像形成システム。
【発明の詳細な説明】
【技術分野】
【０００１】
本発明は、用紙束と表紙用紙を糊付けすることにより冊子を作成する製本装置及び画像形成システムに関するものである。
【背景技術】
【０００２】
複写機やプリンタ等で画像を形成した複数枚の用紙の束を表紙用紙でコの字状にくるみ、用紙の束の背部と表紙用紙を接着することにより簡易的にくるみ製本処理を行う製本装置が知られている。
【０００３】
このような製本機に使用される接着剤としては熱溶融タイプの糊が用いられる。糊は糊タンクに貯留されており、製本を行うに先だって、事前に所定の温度以上にヒータにより加熱する必要がある。そして所定の温度に加熱するには少なからずの時間がかかるという問題がある。
【０００４】
特許文献１では、糊付け製本ジョブ動作時に始めて糊融解を開始するのではなく、糊付け製本ジョブの設定時、あるいは指定時刻に開始させる製本装置が開示されている。
【０００５】
しかし、製本ジョブを終了した後あるいは、指定時刻以降、長時間に渡って製本を行わずに糊を融解させた状態を維持するために所定の設定温度に維持させた場合には、糊ヒータによる消費エネルギーが増加するということと、糊が劣化するという問題があり、更に十分な換気ができない狭い室内では糊から発生する臭気が問題になる虞がある。
【０００６】
このような問題に対して、特許文献２には、製本ジョブの処理中その他の画像形成装置の状態に応じてヒータ温調モードを（１）接着可能な温度、（２）接着可能な温度よりも低い温度、（３）ヒータ消灯のいずれかに切り替える製本装置が開示されている。
【特許文献１】特開２００７−２２７６８号公報
【特許文献２】特開２００７−５７５８０号公報
【発明の開示】
【発明が解決しようとする課題】
【０００７】
しかし、特許文献１又は２に開示の製本装置では、あらかじめ設定した条件に基づいて糊ヒータの制御を変更するものであり、直接糊ヒータの制御を変更するものではない。また製本機全体の電源スイッチをＯＦＦすることにより糊ヒータをＯＦＦすることは可能であるが、このような場合には、製本機の全ての機能が同時に停止してしまう。製本を行わない排紙経路だけを使用したい場合には、再び全ての機能を立ち上げる必要があり初期通信あるいはヒータによる再加熱など、使用可能となるまで時間がかかるという問題があった。
【０００８】
本発明は上記問題に鑑み、ヒータによる糊の温度制御条件を容易に変更可能とすることにより、省エネルギー化、発生臭気の抑制を図るとともに、糊の温度状態にかかわらず使用可能なサブ排紙機構を備えた製本装置及び画像形成システムを提供することを目的とするものである。
【課題を解決するための手段】
【０００９】
上記の目的は、下記に記載する発明により達成される。
【００１０】
（１）画像形成装置により画像形成された用紙を複数枚束ねて用紙束とし、用紙束の背部に対して相対的に移動することにより該用紙束の背部に糊を塗布する糊塗布部を有し、
前記糊塗布部により糊を塗布された用紙束の背部に表紙を接着し製本する製本装置であって、
糊を加熱するヒータと、
糊の温度を検知する温度検知部と、
糊が所定の制御温度となるように前記ヒータを制御するヒータ制御部と、
前記ヒータに対する電源供給のＯＮ状態とＯＦＦ状態を切り替えるための入力を受け付ける入力部と、を有し、
前記ヒータ制御部は、前記入力部が前記入力を受け付けた時の前記ヒータに対する電源供給の状態を判断し、判断された前記ヒータに対する電源供給の状態を他方の状態に切り替えることを特徴とする製本装置。
【００１１】
（２）用紙に画像形成する画像形成装置と、
画像形成装置により画像形成された用紙を複数枚束ねて用紙束とし、用紙束に対して相対的に移動することにより該用紙束の背部に糊を塗布する糊塗布部を有し、前記糊塗布部により糊を塗布された用紙束の背部に表紙を接着し製本する製本装置と、
を備えた画像形成システムであって、
糊を加熱するヒータと、
前記ヒータに対する電源供給のＯＮ状態とＯＦＦ状態を切り替えるための入力を受け付ける入力部と、
糊の温度を検知する温度検知部と、
糊が所定の制御温度となるように前記ヒータを制御するヒータ制御部と、を有し、
前記ヒータ制御部は、前記入力部が前記入力を受け付けた時の前記ヒータに対する電源供給の状態を判断し、判断された前記ヒータに対する電源供給の状態を他方の状態に切り替えることを特徴とする画像形成システム。
【発明の効果】
【００１２】
本発明によれば、ヒータによる糊の温度制御条件を容易に変更可能とすることにより、省エネルギー化、発生臭気の抑制を図るとともに、糊の温度状態にかかわらず使用可能なサブ排紙機構を備えた製本装置及び画像形成システムを提供することを目的とするものである。
【発明を実施するための最良の形態】
【００１３】
本発明を実施の形態に基づいて説明するが、本発明は該実施の形態に限られない。
【００１４】
図１は、画像形成装置Ａ、製本装置（後処理装置）Ｂ、冊子収容装置Ｃを備えた製本システムの全体構成図である。
【００１５】
［画像形成装置Ａ］
画像形成装置Ａは、回転する像担持体１の周囲に、帯電手段２、像露光手段３、現像手段４、転写除電手段５、及びクリーニング手段６を配置した画像形成手段を有する。画像形成手段は、帯電手段２によって像担持体１の表面に一様帯電を行った後に、像露光手段３のレーザビームによって原稿から読み取られた画像データに基づく露光走査を行って潜像を形成し、該潜像を現像手段４により反転現像して像担持体１の表面にトナー像を形成する。
【００１６】
給紙トレイ７Ａから給紙されたシートである用紙Ｓは転写位置へと送られる。転写位置において転写除電手段５によりトナー像が用紙Ｓ上に転写された後に、用紙Ｓの電荷が消去されて像担持体１から分離され、搬送手段７Ｂにより搬送され、引き続き定着手段８により加熱定着され、排紙ローラ７Ｃから排出される。
【００１７】
用紙Ｓの両面に画像形成を行う場合には、定着手段８により加熱定着された用紙Ｓを、搬送路切換手段７Ｄにより通常の排紙通路から分岐し、反転搬送手段７Ｅにおいてスイッチバックして表裏反転した後、再び画像形成部を通過し、用紙Ｓの裏面に画像を形成し、定着手段８を経て、排紙ローラ７Ｃから装置外に排出される。排紙ローラ７Ｃから排出された用紙Ｓは、製本装置Ｂに送り込まれる。
【００１８】
像担持体１の画像処理後の表面は、クリーニング手段６により表面に残留している現像剤が除去され、次の画像形成に備える。
【００１９】
画像形成装置Ａの上部には、操作表示部９Ａが配置されている。操作表示部９Ａは、液晶パネルで構成される表示部に対してタッチスクリーンを重ねて配置したタッチパネルの入力部を備えており当該操作表示部９Ａが、入力部及び表示部として機能する。
【００２０】
［製本装置Ｂ］
図１及び図２により製本装置の製本処理について説明する。図１に示すように、本発明に係る製本装置Ｂは、用紙搬送手段１０、サブ排紙部２０（サブ排紙機構）、用紙束収容手段３０、用紙束搬送手段４０、糊塗布部５０、表紙供給手段６０、表紙断裁手段７０、表紙支持手段８０を備えている。これらの各手段は、製本装置Ｂ内のほぼ垂直方向に縦列配置されている。
【００２１】
製本装置Ｂの上部には、操作表示部９Ｂが配置されている。操作表示部９Ｂは、液晶パネルで構成される表示部に対してタッチスクリーンを重ねて配置したタッチパネルの入力部を備えており当該操作表示部９Ｂが、入力部及び表示部として機能する。なお当該操作表示部９Ｂに換えて、ダイヤル式のハードスイッチ等を設け、これを入力部として機能させてもよい。
【００２２】
画像形成装置Ａで画像形成がされた用紙Ｓを用紙搬送手段１０で搬送し、用紙束収納手段３０で複数枚の用紙Ｓを集積して用紙束Ｓ１を形成する。用紙束Ｓ１は用紙束搬送手段４０により所定位置に搬送され、糊塗布部５０により用紙束Ｓ１の背部に糊を塗布された後に、表紙支持手段８０に支持された表紙用紙Ｓ２と接着されて製本処理がなされる。以下説明する。
【００２３】
用紙搬送手段１０に導入された用紙Ｓは、複数の搬送ローラ、及び搬送路切替ゲートにより、サブ排紙部２０、用紙束収納手段３０、あるいは、表紙支持手段８０の何れかに搬送される。
【００２４】
「サブ排紙機構」として機能するサブ排紙部２０への用紙搬送が設定されると、搬送路切替ゲートの設定により排紙部２０の排紙トレイに画像形成装置Ａから排出された用紙Ｓを直接受容する。排紙トレイでは最大約２００枚を積載することができる。そしてサブ排紙部２０は、糊塗布部５０とは独立した排紙経路を有する。また糊塗布部５０の糊が所定の温度に達しておらず、糊が十分溶融しておらず製本処理を行えない状態であっても、サブ排紙部２０は独立して機能し、画像形成装置Ａからの用紙Ｓを搬送させることができる。
【００２５】
用紙束収容手段３０は、画像形成装置Ａから排出された用紙Ｓを、所定枚数束ねて用紙束Ｓ１を形成する。図２は製本装置Ｂの断面図である。同図に示すように用紙束収容手段３０は、傾斜配置された用紙載置台３５、移動可能な用紙後端位置決め部材３６、用紙の幅方向の整合を行う整合部材３７、等を有する。
【００２６】
図２に示すように、用紙束収容手段３０の用紙載置台３５上に積載された用紙束Ｓ１は、整合されてから、把持手段４１によって把持される。用紙後端位置決め部材３６は図示しない駆動手段により揺動されて用紙載置台３５の下方に待避する。用紙束Ｓ１を把持した把持手段４１は、図示の破線で示す斜め下方に移動したのち旋回して、用紙束Ｓ１に接着剤塗布処理をする背部を下側になるようにして直立状態に保持され、所定位置に停止する。
【００２７】
一方、表紙供給手段６０の表紙積載手段６１内に収容された表紙用紙Ｓ２は、給紙手段６２により分離、給送され、搬送ローラ６３，６４，６５に挟持され、表紙支持手段８０の搬送ローラ８１，８２によって搬送され、所定位置に停止される。
【００２８】
搬送ローラ６５の図示右方に配置された表紙断裁手段７０では表紙用紙Ｓ２の断裁を行う。表紙用紙Ｓ２が、用紙束Ｓ１に対してくるみ製本処理を行う際に必要な長さよりも長い場合には、あらかじめ余分な部分を断裁しておく。
【００２９】
［糊塗布部］
糊塗布部５０において、５１は糊を塗布する塗布ローラである。５３は糊を収納した接着剤容器、５４はこれらを支持する移動体である。接着剤容器５３の外周部と塗布ローラ５１の内部には、ヒータＨを有しており、接着剤容器５３の糊を所定温度に加熱することにより内部の糊は溶融状態となっている。移動体５４を用紙束Ｓ１の背部の長手方向に往復移動させながら、回転する塗布ローラ５１により用紙束Ｓ１の背部に所定厚みの糊Ｎを塗布する。
【００３０】
用紙束Ｓ１への糊の塗布を行った後、図示しない駆動手段により昇降手段８６が移動筐体８４を所定位置としての上昇位置に移動させる。この上昇位置において、加圧部材８３上に載置された表紙用紙Ｓ２の中央部を用紙束Ｓ１の糊塗布面に圧接して接着される。
【００３１】
糊Ｎを貼着した用紙束Ｓ１に表紙用紙Ｓ２を接着したのち、表紙用紙Ｓ２を用紙束Ｓ１に沿って折り曲げる。折り曲げは、上下及び水平に移動する１対の折り曲げ部材８８の動作により、用紙束Ｓ１の背に貼着されている表紙用紙Ｓ２を背の側縁に沿って折り曲げる。以上により冊子Ｓ３が形成される。
【００３２】
排出ベルト８７により排出された冊子Ｓ３は、図１に示す冊子収容装置Ｃの昇降可能な搬送ベルト９１上に載置され、搬送ベルト９１の回動によって順次排出され、排紙台９２上に積載収容される。
【００３３】
図３は、画像形成システムの制御ブロック図である。なお、同図では本実施形態の動作説明に必要な部分の周囲を中心に記載してあり、その他の画像形成システムとして既知の部分については省略してある。また以降の図においては説明の重複を避けるために、共通する部分は同一符号を付すことにより説明に代える。
【００３４】
１００ＢはＣＰＵでありプログラムに従って製本装置Ｂの各種制御を実行する制御手段として機能する。１０１ＢはＲＯＭであり製本装置Ｂを制御するためのプログラムやデータを含む各種プログラムやデータを記憶している。１０２ＢはＲＡＭでありＣＰＵ１００Ａによってワークエリアとして利用され、ＣＰＵ１００Ｂが画像形成装置Ａの制御を実行する際に必要なプログラムやデータを一時的に記憶する。そして、ＣＰＵ１００Ｂは、ＲＡＭ１０２Ｂに展開されたプログラム及びデータに基づき、製本装置Ｂの制御を実行する。そして当該ＣＰＵ１００Ｂがヒータ制御部としても機能する。１０３Ｂは、制御条件等を記憶しておく設定記憶部である。
【００３５】
糊塗布部５０の接着剤容器５３の外周部及び塗布ローラ５１の内部には、ヒータＨを有しており、接着剤容器５３に設けた温度検知センサ５０１によりその温度を検知する。
【００３６】
９Ｂは操作表示部であり、タッチパネル等で構成され、各種操作画面の表示や指示入力等が行われる。１０４Ｂは通信部であり、画像形成装置Ａに接続され、画像形成装置Ａとの間で各種データを送受信する。１０５Ｂはバスであり、ＣＰＵ１０１Ｂ、ＲＯＭ１０１Ｂ、ＲＡＭ１０２Ｂ、操作表示部９Ｂ、サブ排紙部２０、通信部１０４Ｂ等が相互に接続されている。
【００３７】
画像形成装置Ａは、プログラムに従って画像形成装置Ａの各種制御を実行するＣＰＵ１００Ａを中心に、バス１０５Ａにより、ＲＯＭ１０１Ａ、ＲＡＭ１０２Ａ、画像形成部Ａ１、用紙搬送部７、及び通信部１０４Ａ等が相互に接続されている。
【００３８】
画像形成装置Ａでは、製本処理を行う製本印刷ジョブが入力された場合には、製本装置Ｂへ通信部１０４Ａ、１０４Ｂを介してその情報を送信する。製本装置Ｂではその受信した情報に基づいて、製本処理の受け入れ準備等を行う。
【００３９】
次に製本処理（以下においてはくるみ綴じ処理ともいう）の設定方法について説明する。図４乃至図６は画像形成装置Ａの操作表示部９Ａにおける表示画面の詳細図である。図４は各種の表示及び入力を行う操作表示部９Ａの基本画面を示す。基本画面においては、原稿設定、画質設定、出力設定、応用機能、用紙を給紙させる給紙トレイの選択等を行う。
【００４０】
製本処理を実行させる場合には図４で出力設定釦Ｄ１を押す。出力設定釦Ｄ１が押されると図５に示すように出力設定に関する設定画面がポップアップ表示される。出力設定画面でくるみ綴じ釦Ｄ１１を押すと、図６のくるみ綴じ設定画面がポップアップ表示される。
【００４１】
図６のくるみ綴じ設定画面上では、表紙印刷の有無、表紙印刷モード（片面／両面）の選択、表紙印刷面、表紙断裁の有無、綴じ方向、背表紙幅、表紙トレイ等を設定し、ＯＫ釦を押すと設定が完了する。
【００４２】
［ＰＢヒータ制御］
製本装置Ｂの糊を加熱するヒータＨの制御について、図７乃至図１０に基づいて説明する。図７は、製本装置Ｂの操作表示部９Ｂの詳細画面である。同図に示す操作表示部９Ｂが、ユーザからのＰＢヒータの制御条件の入力を受け付ける入力部として機能する。ここでＰＢ（Ｐｅｒｆｅｃｔ  Ｂｉｎｄｅｒ）ヒータとは前述の接着剤容器５３等を加熱するヒータＨのことである。
【００４３】
図８は、実施形態に係る製本装置の制御フローを示す図である。本制御フローは後処理装置のヒータ制御部として機能するＣＰＵ１００Ｂにより行われる処理である。ステップＳ１１で図７に示したＰＢヒータ釦Ｄ１０が押し下げられた場合（ステップＳ１１のＹｅｓ）には、次のステップＳ１２でＰＢヒータの状態を判断する。ＰＢヒータが電源の供給をＯＦＦされたＯＦＦ状態であれば（ステップＳ１２のＹｅｓ）、ＰＢヒータをＯＮ状態に変更する（ステップＳ１３）。つまり接着剤容器５３に貯留している糊の温度を測定する温度検知センサ５０１からの測定値が所定の温度となるようにヒータＨのＯＮ／ＯＦＦを切り替える温度制御をする。
【００４４】
一方、ＰＢヒータがＯＦＦ状態でなければ（ステップＳ１２のＮｏ）、ＰＢヒータをＯＦＦ状態に変更（ステップＳ１４）して終了する。
【００４５】
次に図９に基づいて、製本装置Ｂの制御動作について説明する。図９は製本装置Ｂの状態遷移図である。ＯＦＦ状態Ｓ１ではＰＢヒータはＯＦＦしている。ＯＦＦ状態Ｓ１からＰＢヒータ釦（図７のＤ１１）がＯＮ（押し下げられる）されると、準備状態Ｓ２に移行する。準備状態Ｓ２では、ヒータ制御部がＰＢヒータをＯＮさせることにより所定の温度となるように温度制御する。この準備状態Ｓ２で、ＰＢヒータ釦が押し下げられると、再びＯＦＦ状態Ｓ１に移行する。
【００４６】
一方、画像形成装置Ａから製本印刷ジョブ（以下、単に製本ジョブという）が入力された情報を通信部１０４Ｂを経由して製本装置Ｂが受信した場合には、ＯＦＦ状態Ｓ１であれば準備状態Ｓ２に移行し、ＰＢヒータを動作させて受け入れ準備を開始する。所定の温度に到達し糊が溶融し受け入れ可能状態であれば製本処理状態Ｓ３に移行して、製本処理を開始する。製本処理状態Ｓ３では、製本処理を行いつつ糊の温度を所定の温度を維持するようにＰＢヒータを温度制御させる。製本ジョブが終了したことにより製本処理状態Ｓ３から再び、準備状態Ｓ２に移行する。
【００４７】
なお、本実施形態では、製本処理状態Ｓ３においてはＰＢヒータ釦がＯＮされてもＰＢヒータのＯＦＦはさせずに現在の状態を維持させる。つまりＰＢヒータ釦の無効化処理を行っている。これは製本処理中においては糊の温度を所定値以上を維持して溶融させ続ける必要があるからである。
【００４８】
また状態Ｓ１乃至Ｓ３のいずれにおいても、サブ排紙部２０への用紙搬送は可能としている。
【００４９】
このように、ユーザからの入力を受け付ける入力部９Ｂも設け、ヒータ制御部は入力部９Ｂからの入力に基づいてヒータの制御条件の変更を行うようにすることにより、ヒータによる糊の温度制御条件を容易に変更可能とすることにより、省エネルギー化、発生臭気の抑制を図るとともに、糊の温度状態にかかわらず使用可能なサブ排紙機構を備えた製本装置を提供することが可能となる。
【００５０】
図１０は、別の実施形態における製本装置Ｂの操作表示部９Ｂの詳細画面である。同図に示す例では、ＰＢヒータの制御状態としてＯＮの状態として更にその制御温度を変更可能としたものである。ユーザが各種の選択釦Ｄ２０乃至Ｄ２２を選択することによりＰＢヒータの制御条件を変更可能である。
【００５１】
同図においてＯＦＦ釦Ｄ２０を押し下げることによりＯＦＦ状態に移行し、ＯＮ釦Ｄ２１、Ｄ２２を押し下げることにより制御温度を変更できる。ここで「温度高」とは、糊が溶融可能な温度であり最も制御温度が高く、直ぐに製本処理可能な温度である。「温度低」は、制御温度が比較的低く、糊の溶融は不十分な温度であり、製本処理を行うためには、所定時間のウォームアップを行う必要がある。但しＯＦＦ状態としておくよりもウォームアップ時間は短い。また「温度高」よりも制御温度が低いため糊の劣化度合いは低く、また糊から発生する臭気も少ない。
【００５２】
なお、図１０に示す各種設定釦は、製本処理状態Ｓ３においては選択不可の「無効化処理」を行う。つまり製本ジョブの実行指令を通信部１０４から受けた場合に、ＰＢヒータの制御条件の変更を受け付けないように、ヒータ制御部として機能するＣＰＵ１０１Ｂが制御する。
【００５３】
［画像形成システム］
次に、画像形成装置に設けた入力部としての操作表示部９Ａからの入力に基づいてＰＢヒータの制御条件の変更を行う画像形成システムについて説明する。
【００５４】
前述の図４乃至図６の表示画面において、機械状態釦Ｄ５を押し下げると図１１の機械状態を表示する表示画面が表示される。図１１において画像形成装置ＡのＰＢヒータ釦Ｄ１００は、図７における製本装置ＢのＰＢヒータ釦Ｄ１０と対応するものである。当該ＰＢヒータ釦Ｄ１００を操作することにより、製本装置Ｂのヒータ制御部により図８及び図９と同様の制御を行うことができる。
【００５５】
図１２は、ＰＢヒータの制御条件を設定する画面である。前述の図４乃至図６の表示画面において設定釦Ｄ６を押し下げることにより、表示される画面である。同図において、１Ｙ釦又は１Ｎ釦により、製本装置Ｂの（全体）電源スイッチがＯＮされた時の、ＰＢヒータの制御条件を決定することができる。
【００５６】
また２Ｙ釦又は２Ｎ釦により、製本印刷ジョブ終了時の、ＰＢヒータの制御条件を決定することができる。それぞれ何れかの釦を選択した後に、ＯＫ釦を押し下げることにより確定する。確定した制御条件は、記憶部として機能する設定記憶部１０３Ｂに記憶される。
【００５７】
図１３は、画像形成システムの状態遷移図である。同図に示す例は、図１１及び図１２に示す様な設定画面を有する画像形成システムの製本装置Ｂにおける処理を説明するものである。同図において図９の変形例であり同図と共通する部分についての説明は省略する。
【００５８】
図１３において製本装置Ｂの電源スイッチ及びＰＢヒータがＯＦＦされている、ＯＦＦ状態Ｓ１において電源スイッチをＯＮさせた場合にヒータ制御部は、図１２に示した１Ｙ釦及び１Ｎ釦の設定により移行する状態を切り替える。
（１）１Ｙ釦が設定されていた場合にはＯＦＦ状態Ｓ１から準備状態Ｓ２に移行させる。
（２）１Ｎ釦が設定されていた場合には、ＯＦＦ状態Ｓ１を維持させる。なお同図に示すようにＯＦＦ状態Ｓ１と準備状態Ｓ２間の移行はＰＢヒータ釦Ｄ１００を押し下げることによっても相互に移行可能である。
【００５９】
製本処理状態Ｓ３において製本ジョブが終了した場合にヒータ制御部は、図１２に示した２Ｙ釦及び２Ｎ釦の設定により移行する状態を切り替える。
（３）２Ｙ釦が設定されていた場合には、製本ジョブが終了した場合に製本処理状態Ｓ３から準備状態Ｓ２に移行させる。
（４）２Ｎ釦が設定されていた場合には、製本ジョブが終了した場合にＯＦＦ状態Ｓ１に移行させる。なおこのＯＦＦ状態Ｓ１に移行させる際に所定時間は準備状態Ｓ２に移行させ、所定時間として例えば１分経過してからＯＦＦ状態Ｓ１に移行させるようにしてもよい。
【００６０】
本実施の形態によれば、ヒータによる糊の温度制御条件を容易に変更可能とすることにより、省エネルギー化、発生臭気の抑制を図るとともに、糊の温度状態にかかわらず使用可能なサブ排紙機構を備えた画像形成システムを提供することが可能となる。
【図面の簡単な説明】
【００６１】
【図１】画像形成装置Ａ、製本装置（後処理装置）Ｂ、冊子収容装置Ｃを備えた画像形成システムの全体構成図である。
【図２】製本装置Ｂの断面図である。
【図３】画像形成システムの制御ブロック図である。
【図４】画像形成装置Ａの操作表示部９Ａにおける表示画面の詳細図である。
【図５】画像形成装置Ａの操作表示部９Ａにおける表示画面の詳細図である。
【図６】画像形成装置Ａの操作表示部９Ａにおける表示画面の詳細図である。
【図７】製本装置Ｂの操作表示部９Ｂの詳細画面である。
【図８】実施形態に係る製本装置の制御フローを示す図である。
【図９】製本装置Ｂの状態遷移図である。
【図１０】別の実施形態における製本装置Ｂの操作表示部９Ｂの詳細画面である。
【図１１】画像形成装置Ａの操作表示部９Ａにおける表示画面の詳細図である。
【図１２】画像形成装置Ａの操作表示部９Ａにおける表示画面の詳細図である。
【図１３】画像形成システムの状態遷移図である。
【符号の説明】
【００６２】
Ａ  画像形成装置
Ｂ  製本装置
９Ａ、９Ｂ  操作表示部
２０  サブ排紙部
５０  糊塗布部
５３  接着剤容器
Ｎ  糊
Ｈ  ヒータ
１００Ａ、１００Ｂ  ＣＰＵ
１０１Ａ、１０１Ｂ  ＲＯＭ
１０２Ａ、１０２Ｂ  ＲＡＭ
【図１】
0004535105.tif 000002
【図２】
0004535105.tif 000003
【図３】
0004535105.tif 000004
【図４】
0004535105.tif 000005
【図５】
0004535105.tif 000006
【図６】
0004535105.tif 000007
【図７】
0004535105.tif 000008
【図８】
0004535105.tif 000009
【図９】
0004535105.tif 000010
【図１０】
0004535105.tif 000011
【図１１】
0004535105.tif 000012
【図１２】
0004535105.tif 000013
【図１３】
0004535105.tif 000014